(57)【要約】      （修正有）【課題】台置き、壁掛け、手持ちの３種類の使用モードが可能であるヘアードライヤーを提供する。【解決手段】ヒータ、ファン、ファンを駆動するモータ、ヒータ、ファン及びモータが収容されている本体部１、並びに本体部の下部に回動自在に結合されている台座を備え、台座が、弓状を成しかつ幅広部７とハンドル８とを備え、幅広部の一端にヘアードライヤーを壁に掛けるための係止穴９が設けられ、幅広部の最大幅が１００ｍｍ以上であり、ハンドルの再大部分の外接円１２直径が４０ｍｍ以下である。台置き使用モードに於ては、幅広部の一部とハンドルの一部とを台に載置して保持し、壁掛け使用モードに於ては、係止穴を介して壁に掛け、手持ち使用モードに於ては、ハンドルを握ることにより保持できる。【選択図】図３
0003211456.tif 000002
【実用新案登録請求の範囲】
【請求項１】
ヒータ、ファン、前記ファンを駆動するモータ、前記ヒータ、前記ファン及び前記モータが収容されている本体部、並びに前記本体部の下部に回動自在に結合されている台座を備え、台置き、壁掛け、手持ちの３種類の使用モードが可能なヘアードライヤーであって、
前記台座が、弓状を成しかつ幅広部とハンドルとを備え、
前記幅広部の一端に前記ヘアードライヤーを壁に掛けるための係止穴が設けられていて、
前記幅広部の最大幅が、１００ｍｍ以上であり、
前記ハンドルの再大部分の外接円直径が、４０ｍｍ以下であり、
台置き使用モードに於ては、前記幅広部の一部と前記ハンドルの一部とを台に載置させることにより、前記ヘアードライヤーを前記台に保持し、
壁掛け使用モードに於ては、壁に設けられている掛け具を前記係止穴に掛けることにより、前記ヘアードライヤーを前記壁に掛け、
手持ち使用モードに於ては、ユーザが前記ハンドルを握ることにより、前記ヘアードライヤーを保持する、
ヘアードライヤー。
【請求項２】
前記ファンの直径が９０ｍｍ以上であり、かつ
前記ファンにより形成される風量が１．０ｍ３〜１．４ｍ３／分である、
請求項１に記載のヘアードライヤー。
【請求項３】
前記本体部の横断面と、前記幅広部と前記ハンドルの平坦部とを含む面とにより形成される角が、０°、２２°、４４°、６６°の何れかにロックされる、請求項１または２に記載のヘアードライヤー。
【請求項４】
前記６６°のロックが、他の角度のロックに比較しより強固に設定されている、請求項３に記載のヘアードライヤー。
【請求項５】
更に、マイナスイオン発生器を備える、請求項１−４の何れか１項に記載のヘアードライヤー。
【考案の詳細な説明】
【技術分野】
【０００１】
本考案は、台置き、壁掛け、手持ちの３種類の使用モードが可能であるヘアードライヤーに関する。特に、本考案は、ファンの直径が大きく、十分な風量が得られる、騒音が小さいヘアードライヤーに適している。
【背景技術】
【０００２】
本出願人は、過去に、ファンの直径を９０ｍｍ以上とし、かつファンにより形成される風量を１．０ｍ３〜１．４ｍ３／分とすることにより、十分な風量が得られかつ騒音が小さいヘアードライヤーを特許出願した（特許文献１）。特許文献１は、参照により本出願に引用されている。このヘアードライヤーは、ファンの直径が９０ｍｍ以上であることから、このヘアードライヤーの本体部は相対的に大きいものとなっている。このヘアードライヤーは、コの字状のハンドルを備えているが、本体部が相対的に大きいので、このヘアードライヤーをこのハンドルで支えるには、困難が伴っていた。また、このヘアードライヤーでは、角度を変えて台置きすることも、壁に掛けて使用することも不可能であった。
【０００３】
特許文献２には、筒状ケースの一側に回転自在に枢支したハンドルと、筒状ケースの側壁を摺動するスタンドとを備えるヘアードライヤーが開示されている。このヘアードライヤーを手で持ち乾燥あるいは整髪を行う場合には、スタンド全体を筒状ケースの側壁に収容させる。このヘアードライヤーをテーブルに置いて乾燥あるいは整髪を行う場合には、スタンドを側壁から引き出して筒状ケースから突出させて、スタンドの後端とハンドルとによってこのヘアードライヤーを支持する。特許文献２には、角度を変えて台置きすることも開示されている。しかしながら、特許文献２に開示されているヘアードライヤーは、通常のヘアードライヤーであり、特許文献１に開示される十分な風量が得られかつ騒音が小さいヘアードライヤーではない。さらに、特許文献２に開示されるヘアードライヤーは、壁に掛けて使用することはできない。
【０００４】
特許文献３には、ヘアードライヤーを壁に掛けて使用するためのヘアードライヤー壁掛け用ホルダーが開示されている。特許文献３に開示された発明によると、ユーザが、ヘアードライヤーを壁に掛けて使用するためには、壁に固定されている壁掛け用ホルダーにヘアードライヤーを設置しなければならない。つまり、壁掛け用ホルダーと言う余分な部品を用意せずに、ヘアードライヤー単独で壁掛け使用することは出来ない。
【先行技術文献】
【特許文献】
【０００５】
【特許文献１】特開２０１５−２１７２５９号公報
【特許文献２】実公平５−３８６４２号公報
【特許文献３】特許第４３７７４９６号公報
【考案の概要】
【考案が解決しようとする課題】
【０００６】
本考案が解決しようとする課題は、台置き、壁掛け、手持ちの３種類の使用モードが可能であるヘアードライヤーを提供することである。特に、その課題は、ファンの直径が大きく、十分な風量が得られる、騒音が小さい大型ヘアードライヤーを、台置き、壁掛け、手持ちの３種類の使用モードで使用可能にすることである。
【課題を解決するための手段】
【０００７】
本考案のヘアードライヤーは、ヒータ、ファン、前記ファンを駆動するモータ、前記ヒータ、前記ファン及び前記モータが収容されている本体部、並びに前記本体部の下部に回動自在に結合されている台座を備え、台置き、壁掛け、手持ちの３種類の使用モードが可能なヘアードライヤーであって、前記台座が、弓状を成しかつ幅広部とハンドルとを備え、前記幅広部の一端に前記ヘアードライヤーを壁に掛けるための係止穴が設けられていて、前記幅広部の最大幅が、１００ｍｍ以上であり、前記ハンドルの再大部分の外接円直径が、４０ｍｍ以下であり、台置き使用モードに於ては、前記幅広部の一部と前記ハンドルの一部とを台に載置させることにより、前記ヘアードライヤーを前記台に保持し、壁掛け使用モードに於ては、壁に設けられている掛け具を前記係止穴に掛けることにより、前記ヘアードライヤーを前記壁に掛け、手持ち使用モードに於ては、ユーザが前記ハンドルを握ることにより、前記ヘアードライヤーを保持する、ことによって、上記課題を解決している。
【０００８】
本考案のヘアードライヤーは、前記ファンの直径が９０ｍｍ以上であり、かつ前記ファンにより形成される風量が１．０ｍ３〜１．４ｍ３／分である、ようにしても良い。
【０００９】
本考案のヘアードライヤーは、前記本体部の横断面と、前記幅広部と前記ハンドルの平坦部とを含む面とにより形成される角が、０°、２２°、４４°、６６°の何れかにロックされる、ようにしても良い。
【００１０】
本考案のヘアードライヤーは、前記６６°のロックが、他の角度のロックに比較しより強固に設定されている、ようにしても良い。
【００１１】
本考案のヘアードライヤーは、更に、マイナスイオン発生器を備える、ようにしても良い。
【考案の効果】
【００１２】
本考案のヘアードライヤーは、台に置いた状態で、壁掛け用の特別な部品等を使用することなく壁に掛けた状態で、または手で持った状態で使用することが可能である。特に、本考案は、ファンの直径が大きく、十分な風量が得られる、騒音が小さい大型ヘアードライヤーを、台置き、壁掛け、手持ちの３種類の使用モードで使用することが可能になる。
【図面の簡単な説明】
【００１３】
【図１】本考案のヘアードライヤーの斜視図である。
【図２】本考案のヘアードライヤーを台に置いた状態の側面図である。
【図３】本考案のヘアードライヤーのハンドルの断面の寸法を説明する図である。
【図４】本考案のヘアードライヤーの幅広部の寸法を説明する図である。
【図５Ａ】本考案のヘアードライヤーの本体部と台座が成す角が０°であることを示す図である。
【図５Ｂ】本考案のヘアードライヤーの本体部と台座が成す角が２２°であることを示す図である。
【図５Ｃ】本考案のヘアードライヤーの本体部と台座が成す角が４４°であることを示す図である。
【図５Ｄ】本考案のヘアードライヤーの本体部と台座が成す角が６６°であることを示す図である。
【図６】本考案のヘアードライヤーを壁に掛けて使用する状態を示す図である。
【図７】本考案のヘアードライヤーを手に持って使用する状態を示す図である。
【考案を実施するための形態】
【００１４】
図１、３は、本考案のヘアードライヤーの斜視図を、図２は、テーブル等の台の上面１４に載置させた本考案のヘアードライヤーの側面図を示す。本考案のヘアードライヤーは、代表的には図１および図３に示されるように、本体部１と、本体部１に係合部５により結合されている台座６から構成されている。本体部１には、ヒータ、ファン、このファンを駆動するモータが収容されている。本体部１の一方の端には空気取入部２（図２、５Ａ−５Ｄ）が、他方の端には空気吹出部３（図１、３、６）が設けられている。ファンにより空気取入部２から取入れられた空気は、ヒータにより加熱されて、空気吹出部３から放出されて、ユーザの髪を乾燥させる。図示されていないが、台座６の内部には、マイナスイオン発生器を設けることが出来る。これにより、マイナスイオンを髪に浸透させ、髪の保水率を向上させて、髪をしなやかにすることが出来る。本考案のヘアードライヤーの台座６は、図３、４に示されているように、幅広部７と、ハンドル８と、電源コード４とを備えている。図４、６に示されているように、幅広部７の一端の中央部には、本考案のヘアードライヤーを壁のフック等に掛けて使用するための係止穴９が設けられている。図１、２には図示されていないが、ハンドル８の上側には、図３、６に示されるように、電源スイッチ１０が設けられている。
【００１５】
図２に示される本考案のヘアードライヤーの寸法ａ、ｂは、台座６の縦方向の寸法ａが１９０ｍｍで、高さ方向の寸法ｂが１９０ｍｍである。本考案のヘアードライヤーは、ファンの直径が、９０ｍｍ以上であり、かつこのファンにより形成される風量が、１．０ｍ３〜１．４ｍ３／分となるように構成されている。この構成により、本考案のヘアードライヤーは十分な風量を発生させるにもかかわらず、これが発生させる騒音を、６０ｄＢ以下にさせることが可能になる。
【００１６】
図２に示されるように、ハンドル８および幅広部７を備える台座６は、弓状を成し、ハンドル８および幅広部７の平坦部１３が台の上面に接触して、本考案のヘアードライヤーが台に載置される。図３に示されるように、ハンドル８の最大部の断面１１の外周に接する外接円１２の直径は、大きくとも４０ｍｍである。また、図４に示されるように、幅広部７の最大幅の寸法ｃは、少なくとも１００ｍｍである。台座６が、弓状を成していて、かつ幅広部７の最大幅の寸法ｃが、１００ｍｍ以上であるので、寸法ａが１９０ｍｍで、かつ寸法ｂが１９０ｍｍである本考案のヘアードライヤーは、そのサイズが大型であっても、転倒することなく安定してテーブル等の台に載置させておくことができる。従って、本考案のヘアードライヤーはテーブルに安定して載置させることが出来るので、ユーザは、このヘアードライヤーを手で保持することなく、髪を乾燥させることが出来る。
【００１７】
図５Ａ、５Ｂ、５Ｃ、５Ｄは、本考案のヘアードライヤーの本体部１を、台座６に対して様々な角度に傾けることが出来ることを示している。点線Ｈは、ハンドル８の平坦部１３と幅広部７の平坦部１３に接する面を示し、点線Ｃは、本体部１の縦方向の断面を示し、点線Ｖは、点線Ｈで示される面に垂直である面を示す。点線Ｖと点線Ｃが成す角度θは、本体部１の台座６に対する傾き角を示す。図５Ａは、θ＝０°、つまり、本体部１が台座６に対して傾いていない状態を示し、図５Ｂは、その傾き角が２２°の状態を、図５Ｃは、その傾き角が４４°の状態を、図５Ｄは、その傾き角が６６°の状態を示す。本考案のヘアードライヤーにおいては、本体部１を台座６に対し、０°、２２°、４４°、６６°の角度にロックさせることができるが、６６°の角度のロックは、他の角度のロックに比べより強固になっている。
【００１８】
図６は、壁に設けられているフック（図示せず）を係止穴９に通すことにより、本考案のヘアードライヤーを壁に掛けて使用する、壁掛け使用モードを示す。この壁掛け使用モードにおいても、本体部１は、台座６に対し、θ＝０°、２２°、４４°または６６°の何れの角度にもロックさせることが出来るので、ユーザは、本体部１を好みの角度に傾けて、両手を使用して、髪を乾燥させることが出来る。また、本考案のヘアードライヤーは、幅広部７の最大幅が、１００ｍｍ以上となるように構成されているので、幅広部７と壁の接触が確実になされ、本考案のヘアードライヤーが壁に安定に保持される。
【００１９】
図７は、本考案のヘアードライヤーを手で保持して使用する手持ち使用モードを示す。本考案のヘアードライヤーは、ハンドル８の再大部分の外接円直径が、４０ｍｍ以下となるように構成されているので、この手持ち使用モードにおいて、ユーザは、ハンドル８を確実に保持することが出来る。この手持ち使用モードでは、傾き角θを６６°にした場合、ユーザが本考案のヘアードライヤーを上下左右に振って使用すると、他の角度０°、２２°、４４°に比較して、そのロックが外れやすい。そのため、前述したように、６６°の角度のロックは、他の角度０°、２２°、４４°のロックに比べより強固に設定されている。
【００２０】
上記実施態様においては、傾き角θ＝０°、２２°、４４°または６６°の例について本考案のヘアードライヤーを説明したが、傾き角θには３０°、６０°等の他の任意の角も使用することが出来ることは言うまでもない。
【符号の説明】
【００２１】
１  本体部
２  空気取入部
３  空気吹出部
４  電源コード
５  係合部
６  台座
７  幅広部
８  ハンドル
９  係止穴
１０  電源スイッチ
１１  ハンドルの断面
１２  外接円
１３  平坦部
１４  台の上面
【図１】
0003211456.tif 000003
【図２】
0003211456.tif 000004
【図３】
0003211456.tif 000005
【図４】
0003211456.tif 000006
【図５Ａ】
0003211456.tif 000007
【図５Ｂ】
0003211456.tif 000008
【図５Ｃ】
0003211456.tif 000009
【図５Ｄ】
0003211456.tif 000010
【図６】
0003211456.tif 000011
【図７】
0003211456.tif 000012